【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
少なくとも同色の顔料インクと染料インクとを用いて、記録媒体に画像を記録可能な記録装置であって、
前記記録媒体の片面に対して記録を行う片面記録モードと、前記記録媒体の両面に対して記録を行う両面記録モードとを実行可能な記録制御手段を備え、
前記記録制御手段は、前記両面記録モードを実行する場合、前記片面記録モードを実行する場合に比べて、所定色の顔料インクの使用量を減らし、かつそれに伴う記録濃度の低下を前記所定色の染料インクによって補うように前記所定色の染料インクの使用量を増やす処理を行う
ことを特徴とする記録装置。
【請求項２】
前記処理は、前記記録媒体の両面の内、先に記録される面に対してのみ行われることを特徴とする請求項１に記載の記録装置。
【請求項３】
前記処理は、前記記録媒体の両面の内、先に記録される面と後に記録される面の両方に対して行われることを特徴とする請求項１に記載の記録装置。
【請求項４】
少なくとも同色の顔料インクと染料インクとを用いて、記録媒体に画像を記録可能な記録装置であって、
前記記録媒体の片面に対して記録を行う片面記録モードと、前記記録媒体の両面に対して記録を行う両面記録モードとを実行可能な記録制御手段を備え、
前記記録制御手段は、特定の画像部分に関しては、前記同色の顔料インクの使用を制限しかつそれに伴う記録濃度の低下を前記同色の染料インクによって補うように、前記同色の顔料インクと染料インクとの使用比率を設定し、
前記特定の画像部分は、前記両面記録モードを実行する場合に、前記記録媒体の両面の内の少なくとも先に記録される面に対して、前記同色の顔料インクを用いて記録されるべき画像部分である
ことを特徴とする記録装置。
【請求項５】
前記特定の画像部分は、前記両面記録モードを実行する場合に、前記記録媒体の両面の内の少なくとも先に記録される面の特定部分に対して、前記同色の顔料インクを用いて記録されるべき画像部分であることを特徴とする請求項４に記載の記録装置。
【請求項６】
前記記録制御手段が前記両面記録モードを実行するときに、前記記録媒体の表裏面を反転させる反転手段を備え、
前記特定部分は、画像が記録された後に前記反転手段の構成部品と接触する部分である
ことを特徴とする請求項５に記載の記録装置。
【請求項７】
前記記録制御手段は、前記同色の顔料インクを用いて記録されるべき画像部分に関しては、前記同色の顔料インクと染料インクとの使用比率を段階的に異ならせることを特徴とする請求項４から６のいずれかに記載の記録装置。
【請求項８】
前記記録制御手段は、前記同色の顔料インクを用いて記録されるべき画像部分に関しては、前記同色の顔料インクと染料インクとの使用比率を前記記録媒体の種類に応じて設定することを特徴とする請求項４から６のいずれかに記載の記録装置。
【請求項９】
前記同色の顔料インクと染料インクは、ブラックの顔料インクと染料インクであることを特徴とする請求項４から８のいずれかに記載の記録装置。
【請求項１０】
画像の記録に用いるインクとして、シアン、マゼンタ、およびイエローの染料インクを含むことを特徴とする請求項４から９のいずれかに記載の記録装置。
【請求項１１】
画像の記録に用いるインクとして、前記同色の顔料インク以外の他色の染料インクを少なくとも１つ含み、
前記記録制御手段は、前記同色の顔料インクを用いて記録されるべき画像部分に関しては、前記同色の顔料インクと染料インクとの使用比率と共に、前記他色の染料インクの使用比率をも設定する
ことを特徴とする請求項４から１０のいずれかに記載の記録装置。
【請求項１２】
少なくとも同色の顔料インクと染料インクとを用いて、記録媒体に画像を記録可能な記録方法であって、
前記記録媒体の片面に対して記録を行う片面記録モードと、前記記録媒体の両面に対して記録を行う両面記録モードの内、いずれかの記録モードを選択する選択工程と、
前記選択工程において前記両面記録モードが選択された場合に、前記片面記録モードに比べて、所定色の顔料インクの使用量を減らし、かつそれに伴う記録濃度の低下を前記所定色の染料インクによって補うように前記染料インクの使用量を増やして、記録を行う記録工程と、
を含むことを特徴とする記録方法。
【請求項１３】
前記選択工程において前記片面記録モードが選択された場合、前記記録工程では、予め定められた前記同色の顔料インクの使用量で記録を行うことを特徴とする請求項１２に記載の記録方法。
【請求項１４】
少なくとも同色の顔料インクと染料インクとを用いて、記録媒体に画像を記録可能な記録方法であって、
前記記録媒体の片面に対して記録を行う片面記録モードと、前記記録媒体の両面に対して記録を行う両面記録モードの内、いずれかの記録モードを選択する選択工程と、
特定の画像部分に関しては、前記同色の顔料インクの使用を制限しかつそれに伴う記録濃度の低下を前記同色の染料インクによって補うように、前記同色の顔料インクと染料インクとの使用比率を設定する設定工程と、
を含み、
前記特定の画像部分は、前記選択工程において前記両面記録モードが選択された場合に、前記記録媒体の両面の内の少なくとも先に記録される面に対して、前記同色の顔料インクを用いて記録されるべき画像部分である
ことを特徴とする記録方法。
【請求項１５】
少なくとも同色の顔料インクと染料インクとを用いて記録媒体に画像を記録可能な記録装置へ供給するための画像データを作成するプログラムであって、
前記記録媒体の片面に対して記録を行う片面記録モードと、前記記録媒体の両面に対して記録を行う両面記録モードの内、選択された記録モードに応じた画像データを作成する作成ステップを有し、
前記作成ステップは、
特定の画像部分に関して、前記同色の顔料インクの使用を制限しかつそれに伴う記録濃度の低下を前記同色の染料インクによって補うように、前記同色の顔料インクと染料インクとの使用比率を設定する設定ステップと、
前記設定ステップによって設定された使用比率に基づいて画像データを作成する作成ステップと、
を含み、
前記特定の画像部分は、前記両面記録モードが選択された場合に、前記記録媒体の両面の内の少なくとも先に記録される面に対して、前記同色の顔料インクを用いて記録されるべき画像部分である
ことを特徴とする、コンピュータによって使用可能なプログラム。
【手続補正２】
【補正対象書類名】明細書
【補正対象項目名】００１５
【補正方法】変更
【補正の内容】
【００１５】
本発明の記録装置は、少なくとも同色の顔料インクと染料インクとを用いて、記録媒体に画像を記録可能な記録装置であって、前記記録媒体の片面に対して記録を行う片面記録モードと、前記記録媒体の両面に対して記録を行う両面記録モードとを実行可能な記録制御手段を備え、前記記録制御手段は、前記両面記録モードを実行する場合、前記片面記録モードを実行する場合に比べて、所定色の顔料インクの使用量を減らし、かつそれに伴う記録濃度の低下を前記所定色の染料インクによって補うように前記所定色の染料インクの使用量を増やす処理を行うことを特徴とする。
本発明の記録装置は、少なくとも同色の顔料インクと染料インクとを用いて、記録媒体に画像を記録可能な記録装置であって、前記記録媒体の片面に対して記録を行う片面記録モードと、前記記録媒体の両面に対して記録を行う両面記録モードとを実行可能な記録制御手段を備え、前記記録制御手段は、特定の画像部分に関しては、前記同色の顔料インクの使用を制限しかつそれに伴う記録濃度の低下を前記同色の染料インクによって補うように、前記同色の顔料インクと染料インクとの使用比率を設定し、前記特定の画像部分は、前記両面記録モードを実行する場合に、前記記録媒体の両面の内の少なくとも先に記録される面に対して、前記同色の顔料インクを用いて記録されるべき画像部分であることを特徴とする。
【手続補正３】
【補正対象書類名】明細書
【補正対象項目名】００１６
【補正方法】変更
【補正の内容】
【００１６】
本発明の記録方法は、少なくとも同色の顔料インクと染料インクとを用いて、記録媒体に画像を記録可能な記録方法であって、前記記録媒体の片面に対して記録を行う片面記録モードと、前記記録媒体の両面に対して記録を行う両面記録モードの内、いずれかの記録モードを選択する選択工程と、前記選択工程において前記両面記録モードが選択された場合に、前記片面記録モードに比べて、所定色の顔料インクの使用量を減らし、かつそれに伴う記録濃度の低下を前記所定色の染料インクによって補うように前記染料インクの使用量を増やして、記録を行う記録工程と、を含むことを特徴とする。
【手続補正４】
【補正対象書類名】明細書
【補正対象項目名】００１７
【補正方法】変更
【補正の内容】
【００１７】
本発明の記録方法は、少なくとも同色の顔料インクと染料インクとを用いて、記録媒体に画像を記録可能な記録方法であって、前記記録媒体の片面に対して記録を行う片面記録モードと、前記記録媒体の両面に対して記録を行う両面記録モードの内、いずれかの記録モードを選択する選択工程と、特定の画像部分に関しては、前記同色の顔料インクの使用を制限しかつそれに伴う記録濃度の低下を前記同色の染料インクによって補うように、前記同色の顔料インクと染料インクとの使用比率を設定する設定工程と、を含み、前記特定の画像部分は、前記選択工程において前記両面記録モードが選択された場合に、前記記録媒体の両面の内の少なくとも先に記録される面に対して、前記同色の顔料インクを用いて記録されるべき画像部分であることを特徴とする。
【手続補正５】
【補正対象書類名】明細書
【補正対象項目名】００１８
【補正方法】変更
【補正の内容】
【００１８】
本発明のコンピュータによって使用可能なプログラムは、少なくとも同色の顔料インクと染料インクとを用いて記録媒体に画像を記録可能な記録装置へ供給するための画像データを作成するプログラムであって、前記記録媒体の片面に対して記録を行う片面記録モードと、前記記録媒体の両面に対して記録を行う両面記録モードの内、選択された記録モードに応じた画像データを作成する作成ステップを有し、前記作成ステップは、特定の画像部分に関して、前記同色の顔料インクの使用を制限しかつそれに伴う記録濃度の低下を前記同色の染料インクによって補うように、前記同色の顔料インクと染料インクとの使用比率を設定する設定ステップと、前記設定ステップによって設定された使用比率に基づいて画像データを作成する作成ステップと、を含み、前記特定の画像部分は、前記両面記録モードが選択された場合に、前記記録媒体の両面の内の少なくとも先に記録される面に対して、前記同色の顔料インクを用いて記録されるべき画像部分であることを特徴とする。